(57)【要約】【課題】照明システムにおいて、機材コストの上昇を抑えつつ、電力線通信を利用した制御を実現可能にする。【解決手段】照明システムは、電力線通信を実行可能に構成されたコントローラ１と、電力線通信を実行可能に構成された親機２、および、親機２と通信可能な照明器具３，４を含む照明制御ユニット１０１とを備える。親機２と照明器具３，４とは、電力線通信とは異なる通信手段によって、通信を行う。【選択図】図１
2019169432.tif 000002
【特許請求の範囲】
【請求項１】
電力線通信を実行可能に構成されたコントローラと、
電力線通信を実行可能に構成された親機と、前記親機と通信可能な１つまたは複数の照明器具とを含む照明制御ユニットとを備え、
前記親機は、前記コントローラと電力線通信によって通信を行う一方、前記１つまたは複数の照明器具と、電力線通信とは異なる通信手段によって、通信を行う
ことを特徴とする照明システム。
【請求項２】
請求項１記載の照明システムにおいて、
前記通信手段は、近距離無線通信である
ことを特徴とする照明システム。
【請求項３】
請求項１記載の照明システムにおいて、
前記親機と、前記１つまたは複数の照明器具のうち少なくとも１つとは、結合部品で結合されており、前記結合部品を介して通信を行う
ことを特徴とする照明システム。
【発明の詳細な説明】
【技術分野】
【０００１】
本発明は、電力線通信（ＰＬＣ：Power Line Communication）を利用した照明システム関する。
【背景技術】
【０００２】
特許文献１では、照明システムにおいて、通信時間の短縮及び通信信頼性の向上を図るために、電力線通信によって制御する照明器具をグループ単位に分け、グループ親機とコントローラ間の信号搬送周波数と、グループ親機と子機間の信号搬送周波数とを区別する構成が開示されている。
【先行技術文献】
【特許文献】
【０００３】
【特許文献１】特許第５３９９８８２号公報
【発明の概要】
【発明が解決しようとする課題】
【０００４】
本発明は、照明システムにおいて、機材コストの上昇を抑えつつ、電力線通信を利用した制御を実現可能にすることを目的とする。
【課題を解決するための手段】
【０００５】
上記課題を解決するために、本発明の一実施形態に係る照明システムは、電力線通信を実行可能に構成されたコントローラと、電力線通信を実行可能に構成された親機と、前記親機と通信可能な１つまたは複数の照明器具とを含む照明制御ユニットとを備え、前記親機は、前記コントローラと電力線通信によって通信を行う一方、前記１つまたは複数の照明器具と、電力線通信とは異なる通信手段によって、通信を行う。
【発明の効果】
【０００６】
本発明によると、照明システムにおいて、機材コストの上昇を抑えつつ、電力線通信を利用した制御を実現することができる。
【図面の簡単な説明】
【０００７】
【図１】実施形態に係る照明システムの構成例を示すブロック図
【図２】実施形態に係る照明システムが適用された例
【発明を実施するための形態】
【０００８】
以下、本発明の各実施形態を図面に基づいて詳細に説明する。以下の各実施形態の説明は、本質的に例示に過ぎず、本発明、その適用物或いはその用途を制限することを意図するものではない。
【０００９】
図１は実施形態に係る照明システムの構成例を示すブロック図である。図１に示すように、実施形態に係る照明システムは、システム全体をコントロールするコントローラ１と、照明制御ユニット１０１，１０２とを備える。照明制御ユニット１０１は、親機２と、照明器具３，４とを備える。照明制御ユニット１０２は、親機６と、照明器具７，８とを備える。コントローラ１，照明制御ユニット１０１が含む親機２および照明器具３，４、並びに、照明制御ユニット１０２が含む親機６および照明器具７，８は、商用交流電源ＡＣから出力される電力を供給する電力路５に接続されている。
【００１０】
コントローラ１は、電力路５に高周波電流を重畳する電力線通信により信号を送受信する電力線通信部（ＰＬＣ通信部）１１と、例えばスイッチやＬＣＤ、ＬＥＤなどで構成され、本照明システムの各種設定を行う設定部１２と、電力線通信部１１および設定部１２を制御する制御部１３とを備える。制御部１３は、例えばマイクロコンピュータ等によって構成されている。
【００１１】
照明制御ユニット１０１において、親機２は、電力路５に高周波電流を重畳する電力線通信により信号を送受信する電力線通信部２１と、例えばＬＥＤ等の光源２２と、光源２２の調光レベルを制御する電源回路２３と、ブルートゥース（Bluetooth、登録商標）で通信を行うＢＬＥ通信部２４と、を備える。ブルートゥースは近距離無線通信の一例である。ＢＬＥ通信部２４は照明器具３，４との通信を行うために用いられる。また、親機２には、電力線通信用アドレスを設定するためのディップスイッチ２５が設けられている。
【００１２】
照明器具３は、例えばＬＥＤ等の光源３１と、光源３１の調光レベルを制御する電源回路３２と、ブルートゥースで通信を行うＢＬＥ通信部３３と、を備える。照明器具４は、例えばＬＥＤ等の光源４１と、光源４１の調光レベルを制御する電源回路４２と、ブルートゥースで通信を行うＢＬＥ通信部４３と、を備える。ＢＬＥ通信部３３，４３は、親機２との通信を行うために用いられる。なお、照明器具３，４は、電力路５を介して電力は受けるが、電力線通信は行わない。
【００１３】
光源２２，３１，４１がＬＥＤである場合は、電源回路２３，３２，４２は例えば、交流電圧を直流電圧に変換するインバータと、直流電圧をパルス電圧に変換するＰＷＭ回路等を備える。電源回路２３，３２，４２は、ＬＥＤに印加するパルスのデューティ比を変更することによって、調光レベルを制御したり、ＲＧＢ合成光の調色を制御したりすることができる。なお、光源２２，３１，４１はＬＥＤに限定されるものではなく、例えば白熱灯や蛍光灯であってもよい。
【００１４】
照明制御ユニット１０２においても、図示は省略しているが、親機６は照明制御ユニット１０１の親機２と同様の構成を備えており、照明器具７，８は照明制御ユニット１０１の照明器具３，４と同様の構成を備えている。
【００１５】
図２は本実施形態に係る照明システムが適用された例を示すイメージ図である。図２の例では、駅構内の天井に照明２００が設置されている。図２の照明２００では、ＬＥＤ照明２０１〜２０６が、１つの照明制御ユニットを構成しており、例えばＬＥＤ照明２０１が、照明制御ユニットの親機に対応している。
【００１６】
次に、本実施形態に係る照明システムの動作について説明する。
【００１７】
まず、設置者は、コントローラ１、および、照明制御ユニット１０１，１０２をそれぞれ所定の位置に設置する。そして、各照明制御ユニット１０１，１０２の親機２，６について、ディップスイッチによって、電力線通信の送信アドレスを設定する。ここでは、親機２のディップスイッチ２５にアドレス「１」を設定したものとする。
【００１８】
利用者は、コントローラ１の設定部１２を介して、各照明制御ユニット１０１，１０２の調光レベルを設定する。ここでは、照明制御ユニット１０１について、調光レベル「Ｘ」が設定されたものとする。コントローラ１は、調光レベル「Ｘ」とアドレス「１」を含む制御信号を、ＰＬＣ通信部１１から電力路５に送信する。
【００１９】
照明制御ユニット１０１において、親機２は、電力路５を介して送信された自己のアドレス「１」を含む制御信号を、ＰＬＣ通信部２１によって取り込む。そして、ＰＬＣ通信部２１は、制御信号に含まれた調光レベル「Ｘ」を読み出して、電源回路２３に対して調光レベル「Ｘ」を示す調光信号を送る。また、ＰＬＣ通信部２１は、調光レベル「Ｘ」を示す調光信号をＢＬＥ通信部２４に送る。ＢＬＥ通信部２４は、照明器具３，４に対して、調光レベル「ｘ」を示す調光信号をブロードキャスト送信する。
【００２０】
照明器具３は、ブロードキャスト送信された調光信号を、ＢＬＥ通信部３３を介して受信する。ＢＬＥ通信部３３は、電源回路３２に対して調光レベル「Ｘ」を示す調光信号を送る。同様に、照明器具４は、ブロードキャスト送信された調光信号を、ＢＬＥ通信部４３を介して受信する。ＢＬＥ通信部４３は、電源回路４２に対して調光レベル「Ｘ」を示す調光信号を送る。
【００２１】
この結果、親機２の光源２２の調光レベルは、調光レベル「Ｘ」に調整される。また、照明器具３，４の光源３１，４１の調光レベルも、調光レベル「Ｘ」に調整される。照明制御ユニット１０２についても、調光制御ユニット１０１と同様に、コントローラ１から調光レベルを調整することができる。
【００２２】
以上のように本実施形態によると、照明システムにおいて、照明制御に電力線通信を用いることができ、かつ、電力線通信機能を全ての照明器具に持たせる必要がないため、電力線通信機能を有する照明器具の個数を少なく抑えることができる。このため、機材のコストの上昇を抑えつつ、細やかな照明制御による省エネ・空間演出が可能になる。
【００２３】
なお、上述の実施形態では、照明制御ユニット内における通信手段として、ブルートゥースを用いるものとしたが、本開示はこれに限られるものではなく、電力線通信とは異なる通信手段であれば、どのようなものでもかまわない。例えば、ブルートゥース以外の近距離無線通信を利用してもよいし、赤外線通信を利用してもよい。また、有線通信を利用して例えばＰＷＭ信号やデジタル信号を送受信するようにしてもよい。
【００２４】
また、図２の適用例のように、照明制御ユニットにおいて、親機と照明器具、あるいは、照明器具同士が結合部品で結合されている構成がある。このような構成の場合には、結合部品を介して、通信を行うようにしてもよい。
【００２５】
また、電力線通信の通信方式には、振幅変復調方式（ＡＳＫ）や周波数変復調方式（ＦＳＫ）、幅広い周波数を利用するスペクトラム拡散方式（ＳＳ）などがあるが、本実施形態では、何れの通信方式であってもよい。
【００２６】
また、上述の実施形態では、照明制御ユニットが２個であり、各照明制御ユニットにおける照明器具は２個ずつである場合を例にとって説明したが、照明制御ユニットの個数や各照明制御ユニット内の照明器具の個数は、ここで示したものに限られるものではない。
【００２７】
また、上述の実施形態では、各照明制御ユニットの親機について、ディップスイッチによって通信用アドレスを設定するものとしたが、通信用アドレスを設定する手段はこれに限られるものではない。
【００２８】
以上のように、本実施形態に係る照明システムは、電力線通信を実行可能に構成されたコントローラ１と、電力線通信を実行可能に構成された親機２と、親機２と通信可能な１つまたは複数の照明器具３，４とを含む照明制御ユニット１０１とを備える。親機２は、コントローラ１と電力線通信によって通信を行う一方、１つまたは複数の照明器具３，４と、電力線通信とは異なる通信手段によって、通信を行う。
【００２９】
これにより、電力線通信機能を全ての照明器具に持たせる必要がなく、照明制御ユニット１０１の親機２にのみ、電力線通信機能を持たせればよい。したがって、電力線通信機能を有する照明器具の個数を少なく抑えつつ、電力線通信を利用した照明システムを構築することができる。
【００３０】
そして、通信手段は、近距離無線通信としてもよい。これにより、親機２と照明器具３，４との間に別途、配線を設ける必要がない。
【００３１】
また、親機２と、照明器具３，４のうち少なくとも１つとは、結合部品で結合されており、結合部品を介して通信を行う、としてもよい。これにより、親機２と照明器具３，４との間に別途、配線を設ける必要がない。
【００３２】
（他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【産業上の利用可能性】
【００３３】
本発明による照明システムは、機材コストの上昇を抑えつつ、電力線通信を利用した制御を実現できるという効果を有し、主に、細やかな照明制御が可能な照明システムのコストダウンに有用である。
【符号の説明】
【００３４】
１  コントローラ
２，６  親機
３，４，７，８  照明器具
１０１，１０２  照明制御ユニット
【図１】
2019169432.tif 000003
【図２】
2019169432.tif 000004